(57)【要約】      （修正有）【課題】既に幅広く使われているＳ字フックや壁フックにおいて、地震や不慮の動作により落下しないように引っ掛け部がロックできる落下防止機能付きフックを提供する。【解決手段】Ｓ字フック１ではフックの片端、または、両端に柔軟性のある樹脂製の落下防止キャップ３を差し込むことで引っ掛け部４の解放口を開閉してロックできる構造とし、壁フックではフックの先端に柔軟性のある樹脂製の落下防止キャップを差し込むことで引っ掛け部の解放口を開閉してロックできることを特長とする。【選択図】図７
0003201900.tif 000002
【実用新案登録請求の範囲】
【請求項１】
フックの端に落下防止キャップを取り付け、または、一体成型することで、解放口を開閉してロックできる構造を特長とする、落下防止機能付きフック。
【考案の詳細な説明】
【技術分野】
【０００１】
本考案は、既に幅広く使われているＳ字フックや壁フックにおいて、地震や不慮の動作により落下しないようにするための、落下防止機能付きフックに関するものである。
【背景技術】
【０００２】
既存のＳ字フックは、棒状の素材をＳ字に曲げ加工または樹脂などの素材を成型加工し、引っ掛け部の片方の解放口から固定されたポールなどに引っ掛けた後、逆側の引っ掛け部の解放口からお玉などを引っ掛けて吊るして収納するのが一般的である。
【０００３】
既存の壁フックは、棒状の素材をJ字に曲げ加工または樹脂などの素材を成型加工し、吸盤や両面テープなどで壁に取り付けた後、逆側の引っ掛け部の解放口からお玉などを引っ掛けて吊るして収納するのが一般的である。
【０００４】
Ｓ字状フックの両先端部内側に略丸円形状の突起物を作りその穴を利用して、フック開口部サイズを吊りもとの外形に合うよう任意に調整することにより、落下防止、吊り下げ位置の移動防止機能を持たせることができるＳ字フックが知られている（特許文献１参照）。
【０００５】
Ｓ字型のポールなどに掛ける部分を閉じた形にし、ポールの太さに合わせてカチリとはめ込むことができるようにしたＳ字フックが知られている（特許文献２参照）。
【先行技術文献】
【特許文献】
【０００６】
【特許文献１】特開２０１０−５１６２５号公報
【特許文献２】特開２０１２−７５８４７号公報
【考案の概要】
【考案が解決しようとする課題】
【０００７】
Ｓ字フックは、いろいろな用途に幅広く利用されているが、引っ掛け部の両端が解放されたままの簡単な構造のため、地震や不慮の動作によりＳ字フック自体や吊るした物が落下する危険性があり、壁フックは、引っ掛け部が解放されたままの簡単な構造のため、地震や不慮の動作により吊した物が落下する危険性がある。
【０００８】
特許文献１の従来技術では、突起物がポールに密着して挟み込むことで落下を防止しているが、突起物の密着性や挟み込む力が不充分な場合、落下を防止することができない。
【０００９】
特許文献２の従来技術では、ポールの太さに合わせてカチリとはめ込む構造のため、はめ込む側のＳ字のカーブをポールの太さと同じにしなくてはならず、ポールの太さ毎に異なるサイズの製品を製造する必要があり汎用性に欠ける。
【課題を解決するための手段】
【００１０】
本考案は、Ｓ字フックではフックの片端、または、両端に柔軟性のある樹脂製の落下防止キャップを差し込むことで引っ掛け部の解放口を開閉してロックできる構造とし、壁フックではフックの先端に柔軟性のある樹脂製の落下防止キャップを差し込むことで引っ掛け部の解放口を開閉してロックできることを特長とする、落下防止機能付きフック。
【考案の効果】
【００１１】
柔軟性のある樹脂製の落下防止キャップが引っ掛け部の解放口を開閉するので、ワンアクションでＳ字フックをポールに引っ掛けて引っ掛け部をロックでき、Ｓ字フックや壁フックの引っ掛け部にワンアクションでお玉などを吊るして引っ掛け部をロックできる。
【００１２】
Ｓ字フックに物を引っ掛けて吊るした時に引っ掛け部がロックしているので、地震や不慮の動作によりＳ字フック自体や吊るした物が落下しない。
【００１３】
壁フックに物を引っ掛けて吊るした時に引っ掛け部がロックしているので、地震や不慮の動作により吊るした物が落下しない。
【図面の簡単な説明】
【００１４】
【図１】本考案を構成するＳ字フックの部品の展開図
【図２】本考案を構成する壁フックの部品の展開図
【図３】本考案におけるＳ字フックの片端に落下防止キャップを差し込んだ正面図
【図４】本考案におけるＳ字フックの両端に落下防止キャップを差し込んだ正面図
【図５】本考案における壁フックの先端に落下防止キャップを差し込んだ斜視図
【図６】図３に示された本考案をポールに引っ掛ける時の状態を示す斜視図
【図７】図３に示された本考案をポールに引っ掛けた後の状態を示す斜視図
【考案を実施するための形態】
【００１５】
図１にあるように、Ｓ字フック（１）では、引っ掛け部（４）に解放口（５）のあるＳ字フック（１）と柔軟性のある樹脂製の落下防止キャップ（３）で構成する。
【００１６】
図２にあるように、壁フック（２）では、引っ掛け部（４）に解放口（５）のある壁フック（２）と柔軟性のある樹脂製の落下防止キャップ（３）で構成する。
【００１７】
図３にあるように、Ｓ字フック（１）の片端に落下防止キャップ（３）を差し込む構造とする。
【００１８】
図４にあるように、Ｓ字フック（１）の両端に落下防止キャップ（３）を差し込む構造でも良い。
【００１９】
Ｓ字フック（１）と落下防止キャップ（３）を樹脂などで一体成型した構造でも良い。
【００２０】
図５にあるように、壁フック（２）の先端に落下防止キャップ（３）を差し込む構造とする。
【００２１】
壁フック（２）と落下防止キャップ（３）を樹脂などで一体成型した構造でも良い。
【実施例１】
【００２２】
図３の本考案を使用する場合は、図６にあるように、Ｓ字フック（１）を持って柔軟性のある樹脂製の落下防止キャップ（３）をポール（７）に押し当てると落下防止キャップ（３）が曲がるので、ポール（７）に引っ掛け部（４）を掛けるための解放口の隙間（６）ができる。
【００２３】
さらに、落下防止キャップ（３）をポール（７）に強く押し当て続けるとＳ字フック（１）の引っ掛け部（４）がポール（７）に掛る。
【００２４】
図７にあるように、落下防止キャップ（３）が自然に元の位置に戻るので、解放口の隙間（６）がふさがり引っ掛け部（４）をロックして、地震や不慮の動作でＳ字フック（１）が落下することがない。
【００２５】
図７の状態から、Ｓ字フック（１）の逆側の引っ掛け部（４）にお玉などを引っ掛けて吊るして収納する。
【実施例２】
【００２６】
図４の本考案を使用する場合は、実施例1と同じ要領でＳ字フック（１）の引っ掛け部（４）をポール（７）に掛る。
【００２７】
同じ要領でＳ字フック（１）の逆側の引っ掛け部（４）にお玉などを引っ掛けて吊るして収納する。
【実施例３】
【００２８】
図５の本考案を使用する場合は、壁フック（２）を壁に取り付けてから、実施例２と同じ要領で壁フック（２）の先端の引っ掛け部（４）にお玉などを引っ掛けて吊るして収納する。
【符号の説明】
【００２９】
１  Ｓ字フック
２  壁フック
３  落下防止キャップ
４  引っ掛け部
５  解放口
６  解放口の隙間
７  ポール
【図１】
0003201900.tif 000003
【図２】
0003201900.tif 000004
【図３】
0003201900.tif 000005
【図４】
0003201900.tif 000006
【図５】
0003201900.tif 000007
【図６】
0003201900.tif 000008
【図７】
0003201900.tif 000009